(57)【要約】【課題】押し操作によっても引き操作によっても係止部の、ケージの被係止部に対する係合が解除される光モジュールを提供する。【解決手段】光モジュール１は、係合部２ａ，２ｂと、ケージ（不図示）への装着時にケージに設けられている係合爪（不図示）に係合する突出部２１と、を備えた本体２と、装着時に本体２と係合爪との間に配置され、係合部２ａに対して挿入方向に当接可能な先端部４ｃと、係合部２ｂに対して引き出し方向に当接可能な後端部４ｄと、が互いに近接する方向に押圧されると、係合爪に当接するように変形する板バネ部４、本体２に対して、挿入方向および引き出し方向に移動可能であって、板バネ部４の先端部４ｃに対して引き出し方向に係合可能な係合部３１ａと、板バネ部４の後端部４ｂに対して挿入方向側に係合可能な係合部３１ｂと、を備えた可動部３と、を有することを特徴とする。【選択図】図２
2010160412.tif 000002
【特許請求の範囲】
【請求項１】
ケージに着脱可能な光モジュールであって、
光通信をするための通信手段が内蔵され、前記ケージに挿入することによって該ケージに装着可能であり、前記ケージから引き出すことによって該ケージから取り外し可能な本体であって、第１の係合部と、第２の係合部と、前記ケージに装着されている装着時に前記ケージに設けられている被係止部に係合する係止部と、が設けられた本体と、
前記装着時に前記本体と前記被係止部との間に配置され、前記第１の係合部に対して前記本体の前記ケージへの挿入方向に当接可能な前記挿入方向側の第１の端部と、前記第２の係合部に対して前記本体の前記ケージからの引き出し方向に当接可能な前記引き出し方向側の第２の端部と、が互いに近接する方向に押圧されると、前記被係止部に当接するように変形するバネ部と、
前記本体に対して、前記挿入方向および前記引き出し方向に移動可能であって、前記バネ部の前記第１の端部に対して前記引き出し方向に係合可能な第３の係合部と、前記バネ部の前記第２の端部に対して前記挿入方向側に係合可能な第４の係合部と、を備えた可動部と、を有することを特徴とする光モジュール。
【請求項２】
前記装着時に、前記可動部が前記引き出し方向に引かれると、前記バネ部の前記第２の端部が前記第２の係合部に当接するとともに、前記バネ部の前記第１の端部が前記可動部の前記第１の係合部によって前記引き出し方向に押圧され、
前記装着時に、前記可動部が前記挿入方向に押されると、前記バネ部の前記第１の端部が前記第１の係合部に当接するとともに、前記バネ部の前記第２の端部が前記可動部の前記第２の係合部によって前記挿入方向に押圧される、請求項１に記載の光モジュール。
【請求項３】
前記バネ部は、前記第１の端部と前記第２の端部とが互いに近接する方向に押圧されると、前記被係止部を押圧する、請求項１または２に記載の光モジュール。
【請求項４】
前記係止部は、前記ケージに前記本体が装着されると前記被係止部に形成された穴に係合する、請求項１から３のいずれか１項に記載の光モジュール。
【請求項５】
前記可動部が前記挿入方向に押される操作と、前記可動部が前記引き出し方向に引かれる操作と、がなされるための操作部を有する、請求項１から４のいずれか１項に記載の光モジュール。
【請求項６】
ケージに着脱可能な光モジュールの製造方法であって、
光通信をするための通信手段が内蔵され、前記ケージに挿入することによって該ケージに装着可能であり、前記ケージから引き出すことによって該ケージから取り外し可能な本体であって、第１の係合部と、第２の係合部と、前記ケージに装着されている装着時に前記ケージに設けられている被係止部に係合する係止部と、が設けられた本体を形成する本体形成工程と、
前記装着時に前記本体と前記被係止部との間に配置され、前記第１の係合部に対して前記本体の前記ケージへの挿入方向に当接可能な前記挿入方向側の第１の端部と、前記第２の係合部に対して前記本体の前記ケージからの引き出し方向に当接可能な前記引き出し方向側の第２の端部と、が互いに近接する方向に押圧されると、前記被係止部に当接するように変形するバネ部を形成するバネ部形成工程と、
前記本体に対して、前記挿入方向および前記引き出し方向に移動可能であって、前記バネ部の前記第１の端部に対して前記引き出し方向に係合可能な第３の係合部と、前記バネ部の前記第２の端部に対して前記挿入方向側に係合可能な第４の係合部と、を備えた可動部を形成する可動部形成工程と、
を有することを特徴とする光モジュールの製造方法。
【発明の詳細な説明】
【技術分野】
【０００１】
本発明は、ケージに着脱可能な光モジュールに関する。
【背景技術】
【０００２】
光通信を行う光モジュールとして、たとえば、ＳＦＰ（Ｓｍａｌｌ  Ｆｏｒｍ−ｆａｃｔｏｒ  Ｐｌｕｇｇａｂｌｅ）トランシーバやＸＦＰ（１０  Ｇｉｇａｂｉｔ  Ｓｍａｌｌ  Ｆｏｒｍ−ｆａｃｔｏｒ  Ｐｌｕｇｇａｂｌｅ）トランシーバなどの光トランシーバが知られている。光トランシーバは、実装基板上にケージを介して設置されて使用される。
【０００３】
このような光モジュールは、実装基板上に設けられたケージに着脱可能な本体を備え、その本体には光電変換を行う発光素子や受光素子を含む通信手段が内蔵されている。光モジュールの本体は、ケージに挿入されることによりケージに装着され、ケージから引き出されることによりケージから取り外される。
【０００４】
また、光モジュールは、本体がケージに装着されると本体の係止部がケージの被係止部に係合するように構成された係止機構を備えており、これによりケージに装着された本体がケージから外れることが防止されている。さらに光モジュールは、本体がケージに装着されている装着時に、本体の係止部の、ケージの被係止部に対する係合を解除する係止解除機構を備えており、係止解除機構によって本体の係止部の、ケージの被係止部に対する係合を解除することにより光モジュールの本体をケージから引き出すことが可能になる。
【０００５】
ケージには基板に接続された電気コネクタが設けられており、一方、光モジュールは本体にケージの電気コネクタに対応する接続端子を備えている。光モジュールは、本体がケージに装着されると、本体の接続端子がケージの電気コネクタに接続されるように構成されている。このように構成された光モジュールは、光ファイバとの間で送受する光信号と、基板との間で送受する電気信号とを互いに変換することで光通信を可能にしている。
【０００６】
近年、このような光モジュールに互換性を持たせるために、業界標準化団体によって標準規格が設けられるようになってきている。この標準規格には、たとえば、ＳＦＰトランシーバやＸＦＰトランシーバにおけるＭＳＡ（Ｍｕｌｔｉ  Ｓｏｕｒｃｅ  Ａｇｒｅｅｍｅｎｔ）がある。
【０００７】
本願発明に関連する技術が特許文献１および特許文献２に記載されている。
【先行技術文献】
【特許文献】
【０００８】
【特許文献１】特開２００５−３３８２４７号公報
【特許文献２】特開２００８−０９０１４８号公報
【発明の概要】
【発明が解決しようとする課題】
【０００９】
しかし、上記のＭＳＡにおいて、光モジュールの係止機構については規定されているものの、係止解除機構については規定されていない。そのため、光モジュールには、係止解除機構の異なる複数のタイプのものが存在している。
【００１０】
光モジュールには、主として、光モジュール本体のケージへの挿入方向に操作部が押される押し操作により本体の係止部の、ケージの被係止部に対する係合が解除されるタイプのものと、光モジュール本体のケージからの引き出し方向に操作部が引かれる引き操作により本体の係止部の、ケージの被係止部に対する係合が解除されるタイプのものと、が存在する。
【００１１】
したがって、ユーザが、これらの光モジュールのうちの一方のタイプの光モジュールに慣れると、他方のタイプの光モジュールでも同様に操作を行うことができるとの先入観を持つことがあり、このことがユーザの誤操作の原因となる。また、そのために、このようなユーザが、係止解除機構が異なることが原因で他方のタイプの光モジュールを採用しないという事態を招く。
【００１２】
そこで、本発明は、押し操作によっても引き操作によっても係止部のケージの、被係止部に対する係合が解除される光モジュールを提供することを目的とする。
【課題を解決するための手段】
【００１３】
上記目的を達成するため、本発明の光モジュールは、ケージに着脱可能な光モジュールであって、光通信をするための通信手段が内蔵され、前記ケージに挿入することによって該ケージに装着可能であり、前記ケージから引き出すことによって該ケージから取り外し可能な本体であって、第１の係合部と、第２の係合部と、前記ケージに装着されている装着時に前記ケージに設けられている被係止部に係合する係止部と、が設けられた本体と、前記装着時に前記本体と前記被係止部との間に配置され、前記第１の係合部に対して前記本体の前記ケージへの挿入方向に当接可能な前記挿入方向側の第１の端部と、前記第２の係合部に対して前記本体の前記ケージからの引き出し方向に当接可能な前記引き出し方向側の第２の端部と、が互いに近接する方向に押圧されると、前記被係止部に当接するように変形するバネ部と、前記本体に対して、前記挿入方向および前記引き出し方向に移動可能であって、前記バネ部の前記第１の端部に対して前記引き出し方向に係合可能な第３の係合部と、前記バネ部の前記第２の端部に対して前記挿入方向側に係合可能な第４の係合部と、を備えた可動部と、を有することを特徴とする。
【発明の効果】
【００１４】
本発明によれば、押し操作によっても引き操作によっても係止部の、ケージの被係止部に対する係合が解除される光モジュールを提供することができる。
【図面の簡単な説明】
【００１５】
【図１】本発明の一実施形態に係る光モジュールの側面図である。
【図２】図１に示した光モジュールの下面図である。
【図３】図１に示した光モジュールの図２のＡ−Ａ´線に沿った断面図である。
【図４】図１に示した光モジュールの図２のＢ−Ｂ´線に沿った断面図である。
【図５】図１に示した光モジュールの図２のＣ−Ｃ´線に沿った断面図である。
【図６】図１に示した光モジュールの引き操作をされた状態を示した側面図である。
【図７】図１に示した光モジュールの引き操作をされた状態を示した下面図である。
【図８】図１に示した光モジュールの押し操作をされた状態を示した側面図である。
【図９】図１に示した光モジュールの押し操作をされた状態を示した下面図である。
【図１０】図１に示した光モジュールの製造方法を示すフローチャートである。
【発明を実施するための形態】
【００１６】
次に、本発明の実施形態について図面を参照して説明する。
【００１７】
図１〜図９を参照して、本発明の一実施形態に係る光モジュールについて説明する。なお、各図において、矢印ａは光モジュールの本体のケージへの挿入方向を示し、矢印ｂは光モジュールの本体のケージからの引き出し方向を示している。
【００１８】
まず、図１〜図５を参照して、本実施形態に係る光モジュールの構成について説明する。
【００１９】
図１は、ケージに装着された本実施形態に係る光モジュールの側面図である。図１では、説明の便宜のため、ケージ１００を断面で示している。
【００２０】
光モジュール１は、光通信をするための通信手段が内蔵された本体２と、本体２に取り付けられた可動部３と、本体２と可動部３とによって支持された板バネ部４と、を有している。図１では、可動部３の、本体２に隠れている部分を破線で示している。
【００２１】
本体２には、三角すい状の形状を有し、下面から突出している係止部である突出部２１が設けられている。また、ケージ１００には、穴１０１ａが形成された被係止部である係合爪１０１が設けられている。光モジュール１の本体２がケージ１００に装着される際に、本体２が矢印ａ方向にケージ１００に挿入されると、本体２の突出部２１が、ケージ１００の係合爪１０１の穴１０１ａに入り込んで係合する。これにより、ケージ１００に装着された本体２はケージに対して矢印ｂ方向に移動できないため、本体２がケージ１００から抜けることを防止できる。
【００２２】
可動部３は、本体２に対してスライド可能なスライド部３１と、スライド部３１に取り付けられた操作部であるレバー３２と、を有している。レバー３２は軸３２ａを中心にスライド部３１に対して図１中の矢印ｃ方向および矢印ｄ方向に回動可能である。
【００２３】
可動部３のスライド部３１は、両側面を形成する側壁にそれぞれ長手方向にスリット状に延びたガイド部３１ｃが形成されている。また、本体２には各ガイド部３１ｃに係合している突起２２が設けられている。可動部３は、ガイド部３１ｃ内に突起２２を保持しつつ、本体２に対して図１中の矢印ａ方向および矢印ｂ方向に移動可能である。
【００２４】
図２は、図１に示した光モジュールの下面図である。
【００２５】
板バネ部４は、矢印ａ方向側の第１の端部である先端部４ａ，４ｃと、矢印ｂ方向側の第２の端部である後端部４ｂ，４ｄと、を有している。本体２は、板バネ部４の先端部４ｃに対向する第１の係合部２ａと、板バネ部４の後端部４ｄに対向する第２の係合部２ｂと、を有している。また、スライド部３１は、板バネ部４の先端部４ａに対向する第３の係合部３１ａと、板バネ部４の後端部４ｂに対向する第４の係合部３１ｂと、を有している。
【００２６】
また、板バネ部４と本体２の突出部２１とが接触しないように、板バネ部４には穴４ｅが形成されており、穴４ｅ内を本体２の突出部２１が通されている。
【００２７】
図３は、図２に示した光モジュールのＡ−Ａ´線に沿った断面図である。図３では板バネ部４の先端部４ａの付近を拡大して示している。光モジュール１では、板バネ部４の先端部４ａの矢印ａ方向を向いた面に、スライド部３１の第１の係合部３１ａの矢印ｂ方向に向いた面が対向している。
【００２８】
図４は、図２に示した光モジュールのＢ−Ｂ´線に沿った断面図である。図４では板バネ部４の後端部４ｂの付近を拡大して示している。光モジュール１では、板バネ部４の後端部４ｂの矢印ｂ方向を向いた面に、スライド部３１の第２の係合部３１ｂの矢印ａ方向を向いた面が対向している。
【００２９】
図５は、図２に示した光モジュールのＣ−Ｃ´線に沿った断面図である。図５では板バネ部４の先端部４ｃおよび後端部４ｄの付近を拡大して示している。光モジュール１では、板バネ部４の後端部４ｄの矢印ｂ方向に向いた面に、本体２の第３の係合部２ｂの矢印ａ方向に向いた面が対向し、板バネ部４の先端部４ｃの矢印ａ方向に向いた面に、本体２の第４の係合部２ａの矢印ｂ方向に向いた面が対向している。
【００３０】
次に、図６〜図９を参照して、本実施形態に係る光モジュールの係止解除機構について説明する。
【００３１】
図６は、図１に示した光モジュールの本体がケージに装着されている装着時に、レバーが矢印ｂ方向に引かれる引き操作をされた状態を示した側面図である。図６では説明の便宜のため、板バネ部４付近において、本体２の一部を省略して示している。
【００３２】
図７は、図６に示した光モジュールの下面図である。図７では、ケージ１００を省略して示している。
【００３３】
光モジュール１が引き操作をされたとき、突出部２１が係合爪１０１の穴１０１ａに係合している本体２はケージ１００に対して移動できないが、可動部３は本体２およびケージ１００に対して矢印ｂ方向に移動可能である。そのため、板バネ部４の先端部４ａは、可動部３が本体２およびケージ１００に対して矢印ｂ方向に移動することによりスライド部３１の係合部３１ａに矢印ｂ方向に押し動かされ、一方、板バネ部４の後端部４ｄは、本体２の係合部２ｂに矢印ａ方向に係合されることにより固定される。そうすると、本体２の係合部２ｂは、板バネ部４の後端部４ｄに矢印ｂ方向に押圧される作用の反作用として、板バネ部４の後端部４ｄを矢印ａ方向に押圧する。
【００３４】
したがって、この状態では、板バネ部４は、先端部４ａおよび後端部４ｄが、スライド部３１の係合部３１ａおよび本体２の係合部２ｂによって挟まれて、互いに近接する方向に押圧されている。これにより、板バネ部４は、図６に示すように下方に湾曲し、板バネ部４の中央部が板バネ部４の下方に配置されたケージ１００の係合爪１０１に当接して係合爪１０１を押し下げる。その結果、本体２の突出部２１（図１参照）が係合爪１０１の穴１０１ａから抜け、本体２の突出部２１の、係合爪１０１の穴１０１ａに対する係合が解除される。
【００３５】
以上のように本実施形態に係る光モジュール１では引き操作によって本体２の突出部２１の、係合爪１０１の穴１０１ａに対する係合が解除される。
【００３６】
図８は、図１に示した光モジュールの本体がケージに装着されている装着時に、レバーが矢印ａ方向に押される押し操作をされた状態を示した側面図である。図８では説明の便宜のため、板バネ部４付近において、本体２の一部を省略して示している。
【００３７】
図９は、図８に示した光モジュールの下面図である。図９では、ケージ１００を省略して示している。
【００３８】
光モジュール１が押し操作をされたとき、突出部２１が係合爪１０１の穴１０１ａに係合している本体２はケージ１００に対して移動できないが、可動部３は本体２およびケージ１００に対して矢印ａ方向に移動可能である。そのため、板バネ部４の後端部４ｂは、可動部３が本体２およびケージ１００に対して矢印ａ方向に移動することによりスライド部３１の係合部３１ｂに矢印ａ方向に押し動かされ、一方、板バネ部４の先端部４ｃは、本体２の係合部２ａに矢印ｂ方向に係合されることにより固定される。そうすると、本体２の係合部２ａは、板バネ部４の先端部４ｃに矢印ａ方向に押圧される作用の反作用として、板バネ部４の先端部４ｃを矢印ｂ方向に押圧する。
【００３９】
したがって、この状態では、板バネ部４は、後端部４ｂおよび先端部４ｃが、スライド部３１の係合部３１ｂおよび本体２の係合部２ａによって挟まれて、互いに近接する方向に押圧されている。これにより、板バネ部４は、図８に示すように下方に湾曲し、板バネ部４の中央部が板バネ部４の下方に配置されたケージ１００の係合爪１０１に当接して係合爪１０１を押し下げる。その結果、本体２の突出部２１（図１参照）が係合爪１０１の穴１０１ａから抜け、本体２の突出部２１の、係合爪１０１の穴１０１ａに対する係合が解除される。
【００４０】
以上のように本実施形態に係る光モジュール１では押し操作によって本体２の突出部２１の、係合爪１０１の穴１０１ａに対する係合が解除される。
【００４１】
以上述べたように、本実施形態に係る光モジュール１では、押し操作によっても引き操作によっても突出部２１の、係合爪１０１の穴１０１ａに対する係合が解除されるため、光モジュール１をケージ１００から引き出す際の誤操作を防止することができる。
【００４２】
図１０は、図１に示した光モジュールの製造方法を示すフローチャートである。光モジュール１を製造するために、まず、本体２を形成する本体形成工程と、板バネ部４を形成するバネ部形成工程と、可動部３を形成する可動部形成工程と、を行う。そして、本体２に可動部３を設置する可動部設置工程と、本体２に板バネ部４を設置するバネ部設置工程と、を行い、光モジュール１が完成する。
【符号の説明】
【００４３】
１      光モジュール
２      本体
２ａ，２ｂ      係合部
３      可動部
４      板バネ部
４ａ，４ｃ      先端部
４ｂ，４ｃ      後端部
２１    突出部
３１    スライド部
３１ａ，３１ｂ  係合部
３２    レバー
１００  ケージ
１０１  係合爪
１０１ａ        穴
【図１】
2010160412.tif 000003
【図２】
2010160412.tif 000004
【図３】
2010160412.tif 000005
【図４】
2010160412.tif 000006
【図５】
2010160412.tif 000007
【図６】
2010160412.tif 000008
【図７】
2010160412.tif 000009
【図８】
2010160412.tif 000010
【図９】
2010160412.tif 000011
【図１０】
2010160412.tif 000012